(57)【要約】      （修正有）【課題】プラスチックフイルムからなる袋体への収容物の収容において、袋体を保護する機能をもたせるようにする。【解決手段】プラスチックフイルムからなる袋体８の内部に、所定形状に打ち抜かれて立ちあがり面３を有する形状に構成した板紙１を中敷き２として挿入し、袋体を保護する。【選択図】図１
2004224550.tif 000002
【特許請求の範囲】
【請求項１】
プラスチックフイルムからなる袋体の内部に、所定形状に打ち抜かれて立ちあがり面を有する形状に構成した板紙を中敷きとして収容することにより、袋体を保護することを特徴とするワンタッチ中敷き。
【請求項２】
上記板紙の立ちあがり面には、ジャバラ形状のプレス等による自由な折れ曲がりと絞り込みを可能とする加工がなされることを特徴とする請求項１記載のワンタッチ中敷き。
【請求項３】
上記板紙には、少なくともその一面に防水処理が施され、液体を留置することを可能とする加工がなされることを特徴とする請求項１記載のワンタッチ中敷き。
【請求項４】
上記板紙には、液体の吸収を可能とする組成で構成することを特徴とする請求項１記載のワンタッチ中敷き。
【請求項５】
上記板紙には、防臭及び防腐を可能とする成分を添加又は添付することを特徴とする請求項１〜４のいずれか１項に記載のワンタッチ中敷き。
【発明の詳細な説明】
【０００１】
【発明の属する技術分野】
本発明は、プラスチックフイルムからなる袋体の内部を保護する中敷きに関する。
【０００２】
【従来の技術】
従来、プラスチックフイルムからなる袋体の内部に収容物を入れる場合、その袋体がフイルム状で軟質のため収容物の重量やその形状によっては袋体を破損することがある。したがって、袋体の内部を新聞紙や適当な空き箱で保護して簡易的に中敷きとして使用するか、袋体を内袋とする容器に入れて袋体を保護することが一般的であり日常広く行われている。
【０００３】
また、プラスチックフイルムからなる袋体の一つであるごみ用として使用するポリエチレン袋にごみを収容する場合は、生ごみによるドリップも加わり後処理に手間取ることが多いので、その解決のため袋体の外部と容器の間に中敷きを配置したものはある（例えば、特許文献１参照。）。
【０００４】
【特許文献１】
特開２００３−０００６８９号公報（第２貢、第１図）
【０００５】
【発明が解決しようとする課題】
しかしながら、上記したように、中敷きとして袋体を保護するために代用される新聞紙や空き箱では常用できず機能的ではない。また、袋体を内袋とする容器に入れても、容器から取り出された袋体は収容物の重量やその形状により破損することがある。さらに、袋体の外部と容器の間に中敷きを配置してもその保全と処分に手間取る。
【０００６】
そこで本発明は、上記の問題を解決するために袋体の内部に収容する機能的な中敷きを提供することを課題とする。
【０００７】
【課題を解決するための手段】
以上の課題を解決するために、本発明は、プラスチックフイルムからなる袋体の内部に、所定形状に打ち抜かれて立ちあがり面を有する形状に構成した板紙を中敷きとして収容することにより、袋体を保護するワンタッチ中敷きである。こうすることで、袋体そのものが使用の形態に関わらず保護されるためである。
【０００８】
このように構成された本発明においては、板紙の立ちあがり面には、ジャバラ形状のプレス等による自由な折れ曲がりと絞り込みを可能とする加工がなされても良い。また、本発明においては、板紙には、少なくともその一面に防水処理が施され、液体を留置することを可能とする加工がなされても良い。さらに、本発明においては、板紙には、液体の吸収を可能とする組成で構成しても良い。加えて、本発明においては、板紙には、防臭及び防腐を可能とする成分を添加又は添付しても良い。これは、袋体をごみの収容目的等に使用した場合の、袋体の保護に加えてごみ汁等の留置及び吸収、又は、腐敗等による防臭及び防腐等に配慮しているためである。
【０００９】
【発明の実施の形態】
以下、本発明を図面の一実施例により具体的に説明するが、本発明はこれらに限定されるものではない。
【００１０】
先ず、図１乃至図８により、本発明の実施例の一形態であるワンタッチ中敷きの概要を説明する。まず、板紙１の平面形態は、図７乃至図８のように、かど丸の四角形状と丸型形状の形態があり、この一実施例では総称して板紙１と言う。図１乃至図２は、本発明の実施例の一形態を示す板紙１を挿入して袋体８を内袋とした容器６等に収容して中敷き２とする過程の斜視図である。図３乃至図４は、袋体８に収容された立ちあがり面３がすでに形成された中敷き２の形態であり、図５乃至図６は、板紙１を形成して袋体８に収容した中敷き２の形態である。
【００１１】
中敷き２となる板紙１は、紙製であるために通常の一般ごみとして処分できる。板紙１は、例えば、再生紙等を使用し製造コストの低減を図るものであって、古紙名称で分類されるケント、切り茶、上台紙、ボール等から作られる適当な強度を持つものである。
【００１２】
そして、板紙１は、図７乃至図８のように、立ちあがり面３と底面５を一体として構成した平板形状であり、立ち上がり面３のジャバラ形状４のプレス等による自由な折れ曲がりと絞り込みの変形に追従することを可能とする加工により、図１乃至図２のように、板紙１を容器６等に押し入れることで立ちあがり面３を形成して中敷き２となるものと、図３乃至図４のように、立ちあがり面３がすでに形成された中敷き２がある。
【００１３】
また、板紙１のかど丸の四角形状と丸型形状の理由は、図１乃至図２のように、板紙１を形成して中敷き２となるものと、図３乃至図４のように、立ちあがり面３がすでに形成された中敷き２となるものに関わらず、中敷き２の底面５の形状で袋体８を破損させないためのものである。
【００１４】
プラスチックフイルムからなる袋体８は、ポリエチレン、ポリプロピレン、ポリスチレン等の合成樹脂からなり、透明色、半透明色、不透明色等あるが、本発明の袋体８は、全てを含むものである。
【００１５】
また、図５の一実施例のように、プラスチックフイルムからなる袋体８に板紙１を形成して中敷き２として収容する場合、中敷き２の立ち上がり面３は形状保持のための補強として、接着テープ７を別添えとすることが好ましく、図３乃至図４のように、立ちあがり面３がすでに形成された中敷き２を用いても良いが、使用者が使用目的で使い分けるものである。
【００１６】
本発明の一実施例では、プラスチックフイルムからなる袋体８の内部に簡単な作業で中敷き２が形成され袋体８を保護するものとなる。
【００１７】
また、図１乃至図２の一実施例では、板紙１の立ちあがり面３は、合成樹脂等で形成された容器６等に収容することで立ちあがり面３を形成して中敷き２となるが、図３乃至図４のように、すでに立ちあがり面３が形成された中敷き２を用いても良い。
【００１８】
尚、板紙１の立ちあがり面３には、ジャバラ形状４のプレス等による自由な折れ曲がりと絞り込みを可能とする加工がなされても良い。こうすることで、図１乃至図２のように、容器６等に板紙１を押し入れるだけで簡単に中敷き２となり、平面形状のためかさばらず、運搬と収納が楽である。
【００１９】
また、板紙１に、少なくともその一面に非透水性の合成樹脂フイルムのラミネート、防水紙貼り、樹脂又は防水材のコーティング、又は、紙のプレス等による防水処理を施し、生ごみ等を収容する場合のドリップに配慮するために、液体を留置することを可能とする加工がなされても良い。
【００２０】
さらに、板紙１に、高分子吸収ポリマーなどの吸収剤や海綿体構造等の液体の吸収を可能とする成分を塗布したり、積層したりして、生ごみ等を収容する場合のドリップを吸収するために配慮したものでも良い。
【００２１】
また、板紙１に、活性炭などの防臭剤やクレゾールなどの防腐剤並びに揮発性アルコールの芳香剤などの防臭及び防腐を可能とする成分を添加又は添付して、ごみ等を収容する場合の腐敗臭を低減するために配慮したものでも良い。
【００２２】
【発明の効果】
以上説明したように、本発明によれば、プラスチックフイルムからなる袋体の内部に、所定形状に打ち抜かれて立ちあがり面を有する形状に構成した板紙を収納することで簡単に中敷きが形成され、袋体の破損を防ぐことが出来る。こうすることで袋体そのものが保護され使用の形態に関わらず利用が出来るため便利である。
【００２３】
特に、プラスチックフイルムからなる袋体の一つであるごみ処理用として使用するポリエチレン袋の場合、袋体の破損の防止とごみ汁等のドリップの予防となる機能を有し、防臭及び防腐に配慮した中敷きとなり大変便利である。しかも使い捨てのためごみ処理の手間が軽減される等の効果がある。
【図面の簡単な説明】
【図１】本発明の一実施例で示す角型形状の板紙１を挿入して袋体８を内袋とした容器６等に収容して中敷き２とする過程の斜視図である。
【図２】本発明の一実施例で示す丸型形状の板紙１を挿入して袋体８を内袋とした容器６等に収容して中敷き２とする過程の斜視図である。
【図３】本発明の一実施例で示す袋体８に収容された角型形状の立ちあがり面３がすでに形成された中敷き２の斜視図である。
【図４】本発明の一実施例で示す袋体８に収容された丸型形状の立ちあがり面３がすでに形成された中敷き２の斜視図である。
【図５】本発明の一実施例で示す板紙１を形成して袋体８に収容された角型形状の中敷き２の斜視図である。
【図６】本発明の一実施例で示す板紙１を形成して袋体８に収容された丸型形状の中敷き２の斜視図である。
【図７】本発明の一実施例である四角形状の板紙１の平面形状である。
【図８】本発明の一実施例である丸型形状の板紙１の平面形状である。
【符号の説明】
１  板紙
２  中敷き
３  立ちあがり面
４  ジャバラ形状
５  底面
６  容器
７  接着テープ
８  プラスチックフイルムからなる袋体
【図１】
2004224550.tif 000003
【図２】
2004224550.tif 000004
【図３】
2004224550.tif 000005
【図４】
2004224550.tif 000006
【図５】
2004224550.tif 000007
【図６】
2004224550.tif 000008
【図７】
2004224550.tif 000009
【図８】
2004224550.tif 000010